(57)【要約】      （修正有）【課題】運動用品の衝撃吸収型ハンドル構造を提供する。【解決手段】運動用品の衝撃吸収型ハンドル構造であって、主芯体１０を有し、前記主芯体局部の外表面或いは全部は、衝撃吸収構造２０により固定し覆われており、前記衝撃吸収構造は、ＥＴＰＵ材質である。【選択図】図２
0003223937.tif 000002
【実用新案登録請求の範囲】
【請求項１】
運動用品の衝撃吸収型ハンドル構造であって、主芯体を有し、
前記主芯体局部の外表面或いは全部は、衝撃吸収構造を固定し覆い、前記衝撃吸収構造は、ＥＴＰＵ材質である
ことを特徴とする
運動用品の衝撃吸収型ハンドル構造。
【請求項２】
前記衝撃吸収構造は、衝撃吸収体と衝撃吸収皮を有し、前記衝撃吸収体は、主芯体の外表面に接着され、
前記衝撃吸収皮は、衝撃吸収体外を包み覆い、衝撃吸収皮は同時に、主芯体の外表面を直接取り囲む
ことを特徴とする
請求項１に記載の運動用品の衝撃吸収型ハンドル構造。
【請求項３】
前記衝撃吸収体は筒状を呈し、衝撃吸収体は、主芯体の外表面を完全に覆う
ことを特徴とする
請求項２に記載の運動用品の衝撃吸収型ハンドル構造。
【請求項４】
前記衝撃吸収体は、弧形片状構造で、その局部は、主芯体の外表面を覆う
ことを特徴とする
請求項２に記載の運動用品の衝撃吸収型ハンドル構造。
【請求項５】
前記衝撃吸収体は、多数が間隔を開けて均一に配列され、隣り合う２個の衝撃吸収体の間には、スロットを形成する
ことを特徴とする
請求項４に記載の運動用品の衝撃吸収型ハンドル構造。
【請求項６】
前記主芯体は、扁平状構造で、前記衝撃吸収体は、少なくとも１個で、主芯体と衝撃吸収体は重なって柱体構造を形成し、前記衝撃吸収皮は、柱体構造を包んで覆う
ことを特徴とする
請求項２に記載の運動用品の衝撃吸収型ハンドル構造。
【請求項７】
前記衝撃吸収体は、空心或いは実心構造である
ことを特徴とする
請求項２に記載の運動用品の衝撃吸収型ハンドル構造。
【請求項８】
前記衝撃吸収構造は、衝撃吸収皮で、主芯体の外表面上を取り囲む
ことを特徴とする
請求項１に記載の運動用品の衝撃吸収型ハンドル構造。
【請求項９】
前記衝撃吸収構造は、衝撃吸収体で、主芯体上に嵌めて設置される
ことを特徴とする
請求項１に記載の運動用品の衝撃吸収型ハンドル構造。
【考案の詳細な説明】
【技術分野】
【０００１】
本考案は運動用品の領域技術に関し、特に運動用品の衝撃吸収型ハンドル構造に関する。
【背景技術】
【０００２】
バドミントンラケット、テニスラケット、ピックルボールラケット等の球技の運動装備は、一般にラケットヘッド、ラケットシャフト、ラケットハンドル及びラケットフレームとラケットシャフトのスロートにより構成される。
科学技術の発展に従い、ラケットはより軽く、ラケットフレームはより硬く、ラケットシャフトはより高い弾性を備える方向へと発展している。
【０００３】
しかし、現在市場で見られる運動用品のハンドルは構造が複雑であるだけでなく、衝撃吸収効果が理想的でなく、手触りがよくない。
よって、従来のハンドルは改善の必要がある。
【考案の概要】
【考案が解決しようとする課題】
【０００４】
前記先行技術には、構造が複雑で、衝撃吸収効果が理想的でなく、手触りがよくないという欠点がある。
【課題を解決するための手段】
【０００５】
本考案は複雑で衝撃吸収効果が理想的でないという既存の運動用品ハンドル構造に存在する問題を解決できる運動用品の衝撃吸収型ハンドル構造に関する。
【０００６】
本考案による運動用品の衝撃吸収型ハンドル構造は、主芯体を有する。
該主芯体局部の外表面或いは全部は、衝撃吸収構造を固定し覆う。
該衝撃吸収構造は、ＥＴＰＵ材質である。
【０００７】
好ましくは、該衝撃吸収構造は、衝撃吸収体と衝撃吸収皮を有し、該衝撃吸収体は、主芯体の外表面に接着される。
該衝撃吸収皮は、衝撃吸収体外を包み覆う。
衝撃吸収皮は同時に、主芯体の外表面を直接取り囲む。
【０００８】
好ましくは、該衝撃吸収体は筒状を呈し、衝撃吸収体は、主芯体の外表面を完全に覆う。
【０００９】
好ましくは、該衝撃吸収体は、弧形片状構造で、その局部は、主芯体の外表面を覆う。
【００１０】
好ましくは、該衝撃吸収体は、多数が間隔を開けて均一に配列され、隣り合う２個の衝撃吸収体の間には、スロットを形成する。
【００１１】
好ましくは、該主芯体は、扁平状構造で、該衝撃吸収体は、少なくとも１個である。
主芯体と衝撃吸収体は重なって柱体構造を形成し、該衝撃吸収皮は、柱体構造を包んで覆う。
【００１２】
好ましくは、該衝撃吸収体は、空心或いは実心構造である。
【００１３】
好ましくは、該衝撃吸収構造は、衝撃吸収皮で、主芯体の外表面上を取り囲む。
【００１４】
好ましくは、該衝撃吸収構造は、衝撃吸収体で、主芯体上に嵌めて設置される。
【００１５】
本考案は、既存の技術に比べ、以下の通り明確な長所と効果を備える。
ＥＴＰＵ材質を衝撃吸収構造として採用し、衝撃吸収構造を主芯体の外表面に接着して固定する構造はシンプルで、ＥＴＰＵ材質は非常に優れた反発弾力性を備え、ハンドル全体の衝撃吸収効果を高め、軽量で、手触りがよく、滑り止め効果を増強でき、運動傷害を防止可能なため、使用者のプレイの水準を向上させられ、本製品はバドミントンラケット、テニスラケット、ピックルボールラケット、卓球ラケット、野球バット、ゴルフクラブ等の運動用品に応用することができる。
【図面の簡単な説明】
【００１６】
【図１】本考案第一実施形態の軸方向断面図である。
【図２】本考案第一実施形態の径方向断面図である。
【図３】本考案第二実施形態の径方向断面図である。
【図４】本考案第三実施形態の径方向断面図である。
【図５】本考案第四実施形態の軸方向断面図である。
【考案を実施するための形態】
【００１７】
（一実施形態）
図１、図２に示す通り、本考案第一実施形態の具体構造は、主芯体１０を有する。
【００１８】
主芯体１０の外表面局部或いは全部は、衝撃吸収構造２０を固定し覆う。
衝撃吸収構造２０は、ＥＴＰＵ材質で、ＥＴＰＵ材質即可Ｅ-ＴＰＵポリウレタン熱可塑性発泡顆粒（ＥＴＰＵ、ＥＴＰＵ顆粒或いはＥＴＰＵビーズと略称）で、ＥＴＰＵ材質は極めて良好な反発弾力性を備え、硬さも適当である。
【００１９】
主芯体１０は、空心或いは実心構造で、本実施形態中では、其は、実心構造であるが、これに限定されない。
衝撃吸収構造２０は、衝撃吸収体２１と衝撃吸収皮２２を有する。
衝撃吸収体２１は、主芯体１０の外表面に接着される。
衝撃吸収皮２２は、衝撃吸収体２１外を包み覆う。
衝撃吸収皮２２は同時に、主芯体１０の外表面を直接取り囲み、衝撃吸収体２１を主芯体１０上に堅固に固定し、より良い手触りを達成する。
しかも、本実施形態中では、衝撃吸収体２１は筒状を呈し、衝撃吸収体２１は、主芯体１０の外表面を完全に覆い、衝撃吸収体２１は、空心或いは実心構造である。
【００２０】
製造時には、先ず、衝撃吸収体２１を主芯体１０の外表面に接着し、続いて、衝撃吸収皮２２で取り囲み、衝撃吸収皮２２を利用し、衝撃吸収体２１を堅固に主芯体１０上に固定する。
【００２１】
本考案第二実施形態の具体構造である図３に示す通り、本実施形態の具体構造は、前述の第一実施形態の具体構造と基本的には相同であるが、両者の差異を以下に述べる。
【００２２】
衝撃吸収体２１は、弧形片状構造、或いは他の各種形状構造で、その局部は住主芯体１０の外表面を覆う。
しかも、衝撃吸収体２１は、多数が間隔を開けて均一に配列され、隣り合う２個の衝撃吸収体２１の間には、スロット２０１を形成する。
本実施形態中では、衝撃吸収体２１は、２個だが、これに限定されない。
【００２３】
本考案第三実施形態の具体構造である図４に示す通り、本実施形態の具体構造は、前述の第一実施形態の具体構造と基本的には相同であるが、両者の差異を以下に述べる。
【００２４】
本実施形態中では、衝撃吸収体２１は、３個で、形成されるスロット２０１も３個である。
【００２５】
本考案第四実施形態の具体構造である図５に示す通り、本実施形態の具体構造は、前述の第一実施形態の具体構造と基本的には相同であるが、両者の差異を以下に述べる。
【００２６】
主芯体１０は、扁平状構造で、衝撃吸収体２１は、少なくとも１個である。
主芯体１０と衝撃吸収体２１は重なって柱体構造を形成し、衝撃吸収皮２２は、柱体構造を包んで覆う。
本実施形態中では、それは２個で、主芯体１０は、２個の衝撃吸収体２１の間に挟んで設置され、柱体構造を構成する。
【００２７】
衝撃吸収構造２０は、単独の衝撃吸収皮２２とでき、主芯体１０の外表面上を取り囲む。
或いは、単独の衝撃吸収体２１は、主芯体１０上に嵌めて設置でき、この場合も同様に非常に高い衝撃吸収作用を備える。
【００２８】
本考案の設計の重点は以下の通りである。
ＥＴＰＵ材質を衝撃吸収構造として採用し、衝撃吸収構造を主芯体の外表面に接着して固定する構造はシンプルで、ＥＴＰＵ材質は非常に優れた反発弾力性を備え、ハンドル全体の衝撃吸収効果を高め、軽量で、手触りがよく、滑り止め効果を増強でき、運動傷害を防止可能なため、使用者のプレイの水準を向上させられ、本製品はバドミントンラケット、テニスラケット、ピックルボールラケット、卓球ラケット、野球バット、ゴルフクラブ等の運動用品に応用することができる。
【００２９】
前述した本考案の実施形態は本考案を限定するものではなく、よって、本考案により保護される範囲は後述される実用新案登録請求の範囲を基準とする。
【符号の説明】
【００３０】
１０  主芯体、
２０  衝撃吸収構造、
２１  衝撃吸収体、
２２  衝撃吸収皮、
２０１  スロット。
【図１】
0003223937.tif 000003
【図２】
0003223937.tif 000004
【図３】
0003223937.tif 000005
【図４】
0003223937.tif 000006
【図５】
0003223937.tif 000007
【手続補正書】
【提出日】令和1年9月9日(2019.9.9)
【手続補正１】
【補正対象書類名】実用新案登録請求の範囲
【補正対象項目名】全文
【補正方法】変更
【補正の内容】
【実用新案登録請求の範囲】
【請求項１】
運動用品の衝撃吸収型ハンドル構造であって、主芯体を有し、
前記主芯体局部の外表面或いは全部は、衝撃吸収構造により固定し覆われており、前記衝撃吸収構造は、ＥＴＰＵ材質である
ことを特徴とする
運動用品の衝撃吸収型ハンドル構造。
【請求項２】
前記衝撃吸収構造は、衝撃吸収体と衝撃吸収皮を有し、前記衝撃吸収体は、前記主芯体の外表面に接着され、
前記衝撃吸収皮は、前記衝撃吸収体外を包み覆い、前記衝撃吸収皮は同時に、前記主芯体の外表面を直接取り囲む
ことを特徴とする
請求項１に記載の運動用品の衝撃吸収型ハンドル構造。
【請求項３】
前記衝撃吸収体は筒状を呈し、前記衝撃吸収体は、前記主芯体の外表面を完全に覆う
ことを特徴とする
請求項２に記載の運動用品の衝撃吸収型ハンドル構造。
【請求項４】
前記衝撃吸収体は、弧形片状構造で、その局部は、前記主芯体の外表面を覆う
ことを特徴とする
請求項２に記載の運動用品の衝撃吸収型ハンドル構造。
【請求項５】
前記衝撃吸収体は、多数が間隔を開けて均一に配列され、隣り合う２個の前記衝撃吸収体の間には、スロットを形成する
ことを特徴とする
請求項４に記載の運動用品の衝撃吸収型ハンドル構造。
【請求項６】
前記主芯体は、扁平状構造で、前記衝撃吸収体は、少なくとも１個で、主芯体と前記衝撃吸収体は重なって柱体構造を形成し、前記衝撃吸収皮は、柱体構造を包んで覆う
ことを特徴とする
請求項２に記載の運動用品の衝撃吸収型ハンドル構造。
【請求項７】
前記衝撃吸収体は、空心或いは実心構造である
ことを特徴とする
請求項２に記載の運動用品の衝撃吸収型ハンドル構造。
【請求項８】
前記衝撃吸収構造は、前記主芯体の外表面上を取り囲む衝撃吸収皮である
ことを特徴とする
請求項１に記載の運動用品の衝撃吸収型ハンドル構造。
【請求項９】
前記衝撃吸収構造は、前記主芯体上に嵌めて設置される衝撃吸収体である
ことを特徴とする
請求項１に記載の運動用品の衝撃吸収型ハンドル構造。